(57)【要約】【課題】入力される複合映像信号レベルの弱電界信号等の変動に対しても、同期信号の欠落を検出することにより、複合映像信号からの同期信号を安定して分離できることを目的とする。【解決手段】同期信号分離装置は、ＰＬＬ部のロック状態を検出することにより、複合映像信号の受信状態を判断できるので、ロック状態の検出結果および垂直ブランキング信号に応じて同期信号分離回路のスライスレベルを制御することにより、映像信号の受信状態に影響されることなく、同期特性を損なうことなく安定した同期パルスを生成でき、良好な複合映像信号と同様に同期信号の検出、分離を行うことができることを特徴とする。【選択図】図１
2008092504.tif 000002
【特許請求の範囲】
【請求項１】
所定のしきい値を用いて、複合同期信号から同期信号を分離する同期信号分離回路と、前記分離された同期信号に応じて制御された発振周波数で発振し、前記同期信号とほぼ同じ周波数の位相比較信号および水平同期信号を出力するＰＬＬ部と、垂直同期信号を出力する積分器と、垂直同期信号および前記水平同期信号から垂直ブランキング信号を生成する垂直ブランキング生成部と、前記位相比較信号および前記垂直ブランキング信号により前記ＰＬＬ部がロック状態になっているか否かを検出するロック検出部と、検出結果および前記垂直ブランキング信号により前記同期分離回路に用いられるしきい値を制御する制御回路とを有する同期信号分離装置。
【請求項２】
制御回路は、
前記ロック検出部がＰＬＬ部のロック状態で無いか否かの検出結果と前記垂直ブランキング生成部の出力である前記垂直ブランキング信号から前記制御回路の出力信号を制御し、前記制御信号に応じて前記同期信号分離回路のしきい値を制御する請求項１記載の同期信号分離装置。
【発明の詳細な説明】
【技術分野】
【０００１】
本発明は、複合映像信号から同期信号を分離する同期信号分離装置に関する。
【背景技術】
【０００２】
同期信号分離装置は、同期信号を含む複合映像信号（コンポジット信号）から同期信号のみを分離し同期系処理であるＰＬＬ部に入力され、内部の基準クロックと映像信号の同期を取るためにＡＶ機器などアナログ回路／デジタル回路で多用される。
【０００３】
従来の複合映像信号から同期信号を分離する同期信号分離装置としては、入力される信号状態に応じ同期信号分離回路のスライスレベルを可変し同期分離能力を切り替える方法が知られている。またその方法を実現する方法として特許文献１がある。
【０００４】
以下、図９、図１０を用いて従来の技術を説明する。
【０００５】
図９は同期信号分離装置のシステム図である。図９において同期信号分離装置は、同期信号分離回路１００、ＰＬＬ部２００、ロック検出部５００によって構成されている。
【０００６】
同期信号分離回路１００は、複合映像信号ＳＣに含まれている同期信号ＣＳＹＮＣを分離して出力する。同期信号ＣＳＹＮＣがＰＬＬ部２００に入力され、位相比較信号Ｐ５０がロック検出部５００に入力される。
【０００７】
同期信号分離回路１００において、同期信号ＣＳＹＮＣを分離するためのスライスレベルがロック検出部５００からのロック検出信号ＬＯＣＫに応じて制御される。
【０００８】
ＰＬＬ部２００は、入力される同期信号ＣＳＹＮＣに応じて、水平同期信号ＨＳＹＮＣを出力する。ＰＬＬ部２００において、位相比較信号Ｐ５０と同期信号ＣＳＹＮＣの位相が一致する状態に達した場合、位相比較信号Ｐ５０の周期が安定し、かつ同期信号分離回路１００によって出力される同期信号ＣＳＹＮＣの周期に揺らぎがある場合でも、その平均周期に一致するように安定化される。この状態はＰＬＬ回路のロック状態という。
【０００９】
上述したように、ロック状態において位相比較信号Ｐ５０の周波数は、同期信号ＣＳＹＮＣの周波数とほぼ一致するので、位相比較信号Ｐ５０に応じてＰＬＬ部２００によって生成される水平同期信号ＨＳＹＮＣは、同期信号ＣＳＹＮＣとほぼ同じ周波数を持ち、安定化した水平同期信号となる。
【００１０】
ロック検出部５００は、ＰＬＬ部２００がロック状態にあるか否かを検出し、ＰＬＬ部２００がロック状態にある場合、ロック検出信号ＬＯＣＫを同期信号分離回路１００に出力する。ＰＬＬ部２００がロック状態に達したとき、位相比較信号Ｐ５０と入力される同期信号ＣＳＹＮＣの位相が一致する。このため、ロック検出部５００は、ＰＬＬ部２００の出力を監視することでＰＬＬ部２００がロック状態にあるか否かを判断することができる。ＰＬＬ部２００がロック状態にあるとき、所定のロック検出信号ＬＯＣＫを同期信号分離回路１００に出力する。
【００１１】
同期信号分離回路１００では、所定のしきい値電圧（スライスレベル）を用いて複合映像信号ＳＣから同期信号を検出し、同期信号ＣＳＹＮＣを分離する。このため、同期分離用スレッショルドを制御することで、同期信号分離回路１００の同期信号の検出能力を制御できる。良好な映像信号を受信できる場合、同期信号分離回路１００によって、同期信号ＣＳＹＮＣが分離出力されるので、ＰＬＬ部２００は、同期信号ＣＳＹＮＣに基づきロックし、安定した発振周波数で発振する。これによって、ＰＬＬ部２００から安定した周波数を持つ水平同期信号ＨＳＹＮＣが出力される。
【００１２】
ロック検出部５００は、ＰＬＬ部２００がロック状態にあると検出したとき、ロック検出信号ＬＯＣＫを出力する。同期信号分離回路１００では、このロック検出信号ＬＯＣＫを受けると、スライスレベルを弱電界信号入力に強いレベルに変更される。これにより、弱電界信号入力時の同期特性を損なうことなく、同期信号の検出を行うことができる。
【００１３】
受信された映像信号が弱い場合、同期信号分離回路１００から周期不安定な同期信号ＣＳＹＮＣが出力され、または、完全に同期信号ＣＳＹＮＣが出力されない。この場合、ＰＬＬ部２００はロック状態に入ることができない。この場合、ロック検出部５００によって、ＰＬＬ部２００がロック状態ではないと検出したとき、ロック検出信号ＬＯＣＫが出力されない。これを受けて、同期信号分離回路１００では、スライスレベルをノイズ入力に強い、即ち、誤動作しにくいレベルに変更される。このように弱信号受信時にスライスレベルを制御することによって、同期信号ＣＳＹＮＣが出力されない。
【００１４】
以上説明したように、ロック検出部５００はＰＬＬ部２００のロック状態を監視し、ＰＬＬ部２００がロック状態にあると判断したとき、ロック検出信号ＬＯＣＫを同期信号分離回路１００に出力し、これに応じて同期信号分離回路１００はスライスレベルを弱電界信号入力に強いレベルに制御し、逆にＰＬＬ部２００がロック状態に達していないと判断したとき、ロック検出信号ＬＯＣＫを出力せず、これに応じて同期信号分離回路１００は、スライスレベルをノイズ入力に強く、誤動作しにくいレベルに制御するので、受信される映像信号の状態に応じて同期信号分離用のスライスレベルを最適に制御することができ、安定した水平同期信号ＨＳＹＮＣを生成することが可能となる。
【特許文献１】特開２００２−１９０９６４号公報
【発明の開示】
【発明が解決しようとする課題】
【００１５】
しかし、特開２００２−１９０９６４号公報に開示された同期信号分離装置ではＰＬＬ部のロック状態か否かを検出することにより、同期信号分離回路のスライスレベルを制御することができるが、複合映像信号が弱電界信号時において、ＰＬＬ部のロック検出に従い、スライスレベルを制御した結果、同期信号ＣＳＹＮＣが出力されないことになる。
【００１６】
しかし、カーＴＶまたはカーナビゲーション等屋外で使用する場合、電波状態により複合映像信号の信号レベルは弱い場合があり、上記従来の同期信号装置では、複合映像信号から同期信号の分離を出来ずＰＬＬ部の動作が安定しない課題があった。
【課題を解決するための手段】
【００１７】
上記課題を解決するため、本発明は以下の構成を有する。請求項１に記載の発明は、所定のしきい値を用いて、複合同期信号から同期信号を分離する同期信号分離回路と、前記分離された同期信号に応じて制御された発振周波数で発振し、前記同期信号とほぼ同じ周波数の位相比較信号および水平同期信号を出力するＰＬＬ部と、垂直同期信号を出力する積分器と、垂直同期信号および前記水平同期信号から垂直ブランキング信号を生成する垂直ブランキング生成部と、前記位相比較信号および前記垂直ブランキング信号により前記ＰＬＬ部がロック状態になっているか否かを検出するロック検出部と、検出結果および前記垂直ブランキング信号により前記同期分離回路に用いられるしきい値を制御する制御回路とを有することを特徴とする同期信号分離装置である。本発明の同期信号分離装置は、安定した同期信号を生成することが出来る。
【発明の効果】
【００１８】
本発明によれば、同期信号分離回路によって複合映像信号から分離された同期信号に応じて、ＰＬＬ部によって安定した周波数を持つ水平同期信号及びクロック信号が生成可能である。さらに、本発明によれば、ＰＬＬ回路のロック状態を検出することによって、映像信号の受信状態を判断できるので、ロック状態の検出結果および垂直ブランキング信号に応じて同期信号分離回路のスライスレベルを制御することにより、映像信号の受信状態に影響されることなく、安定した同期パルスを生成できるという有利な効果が得られる。
【発明を実施するための最良の形態】
【００１９】
以下、本発明の実施をするための最良の形態を具体的に示した実施の形態について、図面とともに記載する。
【００２０】
《実施の形態》
図１および図３を用いて本発明の実施の形態の同期信号分離装置を説明する。
【００２１】
図１は本発明における同期信号分離装置の実施形態を示す回路図である。
【００２２】
実施の形態の同期信号分離装置は、同期信号分離回路１００、ＰＬＬ部２００、積分器３００、垂直ブランキング生成部４００、ロック検出部５００、制御回路６００によって構成されている。
【００２３】
同期信号分離回路１００は、複合映像信号ＳＣが入力され複合映像信号ＳＣに含まれている同期信号を分離した同期信号ＣＳＹＮＣをＰＬＬ部２００、積分器３００およびロック検出部５００に供給する。なお、この同期信号分離回路１００は、既存の技術を用いて構成することができるので、ここではその構成について特に限定しない。また、同期信号分離回路１００において、同期信号ＣＳＹＮＣを分離するためのスライスレベルを制御回路６００の出力であるスライスレベル制御信号ＳＬにより制御されるのが特徴である。ＰＬＬ部２００は、入力される同期信号ＣＳＹＮＣに応じて、水平同期信号ＨＳＹＮＣを垂直ブランキング生成部４００に、周期が同期信号ＣＳＹＮＣとほぼ等しくデューティが５０％となる位相比較信号Ｐ５０を出力しロック検出部５００に供給する。積分器３００は同期信号ＣＳＹＮＣを受け複合映像信号ＳＣの垂直同期期間にパルスを出力する垂直同期信号ＶＳＹＮＣを垂直ブランキング生成部４００に供給する。垂直ブランキング生成部４００は、水平同期信号ＨＳＹＮＣおよび垂直同期信号ＶＳＹＮＣを受け、複合映像信号ＳＣにおける垂直ブランキング期間の始まりにＨｉレベルとなり、垂直ブランキング期間の終わりにＬｏレベルとなる垂直ブランキング信号ＶＢＬＫをロック検出部５００及び制御回路６００に供給する。ロック検出部５００は、同期信号ＣＳＹＮＣ、位相比較信号Ｐ５０及び垂直ブランキング信号ＶＢＬＫを受け、垂直ブランキング期間以外でＰＬＬ部２００がロック状態にあるか否かを検出し、ＰＬＬ部２００がロック状態にある場合、ロック検出信号ＬＯＣＫはＨｉレベルを、ロック状態にない場合、ロック検出信号ＬＯＣＫはＬｏレベルを制御回路６００に供給する。制御回路６００は、垂直ブランキング信号ＶＢＬＫおよびロック検出信号ＬＯＣＫを受け、スライスレベル制御信号ＳＬを同期信号分離回路１００に供給する。ここで、制御回路６００は、ロック検出部５００がロック状態であるロック検出信号ＬＯＣＫがＨｉレベルのとき、スライスレベル制御信号ＳＬはＨｉレベルを出力し、ロック検出部５００がロック状態でないロック検出信号ＬＯＣＫがＬｏレベルのとき、スライスレベル制御信号ＳＬはＬｏレベルとなる。一度ロック検出信号ＬＯＣＫがＬｏレベルになるとロック検出信号ＬＯＣＫがロック状態を示すＨｉレベルになっても垂直ブランキング信号ＶＢＬＫがＨｉレベルからＬｏレベルに切替る、つまり垂直ブランキング期間が終了しない限り、スライスレベル制御信号ＳＬはＬｏレベルを保持する。
【００２４】
図２を用いて、実施の形態の同期信号分離装置の動作を詳細に説明する。図２は、実施の形態の同期信号分離装置の動作を示すタイミングチャートである。複合映像信号ＳＣは、映像信号、水平および垂直同期信号を含む信号である。図２のｔ１まで複合映像信号ＳＣは良好な映像信号であるため、同期信号分離回路１００によって同期信号ＣＳＹＮＣは複合映像信号ＳＣの同期信号を出力できる。ＰＬＬ部２００は、同期信号ＣＳＹＮＣに基づきロックし、複合映像信号ＳＣの同期信号に同期し安定した動作を行う。これによって、ＰＬＬ部から安定した周波数をもつ水平同期信号ＨＳＹＮＣおよび位相比較信号Ｐ５０が出力される。ロック検出部５００は、ＰＬＬ部２００から安定した位相比較信号Ｐ５０と同期信号ＣＳＹＮＣによりロック状態にあると検出し、ロック検出信号ＬＯＣＫを出力する。制御回路６００では、ロック検出部５００がロック状態を示す信号を出力しているためスライスレベル制御信号ＳＬはＨｉレベルを出力する。同期信号分離回路１００では、このスライスレベル制御信号ＳＬを受けると、スライスレベルを良好な複合映像信号のレベルまたはノイズに強いレベルに設定された状態となる。これにより、複合映像信号に重畳されたノイズ成分を同期信号として取り込むことなく、同期信号の検出を行うことができる。
【００２５】
次に、ｔ２の期間において入力される複合映像信号ＳＣの信号レベルが非常に弱い場合、同期信号分離回路１００は複合映像信号ＳＣに含まれる同期信号を分離することができず、同期信号ＣＳＹＮＣは信号が出力されなくなる。このときＰＬＬ部２００において同期抜け検出を行い同期信号ＣＳＹＮＣと位相比較信号Ｐ５０との位相比較動作を行わず、電圧制御発振器の出力周波数は保持するように動作を行う。このため、位相比較信号Ｐ５０の周波数は保持された状態でロック検出部５００に入力される。ロック検出部５００では、複合映像信号ＳＣが入力されないため、ロック検出部５００で設定された同期検出に従いロック状態でないと検出し、ロック検出信号ＬＯＣＫは出力されなくなる。制御回路６００では、ロック検出部５００がロック検出信号ＬＯＣＫに従いスライスレベル制御信号ＳＬもＬｏレベルとなる。同期信号分離回路１００はスライスレベル制御信号ＳＬを受けて、スライスレベルを弱電界信号入力に強いレベルに変更されると、弱電界信号入力時においても同期信号分離回路１００から同期信号ＣＳＹＮＣは出力され、時間ｔ１と同様の動作を行なうことが出来る。次に弱電界信号入力において同期分離が行なわれているため、同期信号ＣＳＹＮＣは出力されると、ＰＬＬ部２００は、同期信号ＣＳＹＮＣに基づきロックし、複合映像信号ＳＣの同期信号に同期し安定した動作を行う。これによって、ＰＬＬ部から安定した周波数をもつ水平同期信号ＨＳＹＮＣおよび位相比較信号Ｐ５０が出力される。ロック検出部５００は、ＰＬＬ部２００から安定した位相比較信号Ｐ５０と同期信号ＣＳＹＮＣによりロック状態にあると検出し、ロック検出信号ＬＯＣＫを出力する。制御回路６００では、ロック検出部５００がロック状態を示す信号を出力するが、同期信号分離回路１００に入力されている複合映像信号ＳＣの信号レベルが非常に弱いため、垂直ブランキング生成部４００の垂直ブランキング信号ＶＢＬＫが入力されるまでは、スライスレベル制御信号ＳＬはＨｉレベルを保持し、同期信号分離回路１００はスライスレベルを弱電界信号入力に強いレベルの状態を保持する。
【００２６】
次に、ｔ３の期間において入力される複合映像信号ＳＣの信号レベルはｔ２と同様に非常に弱く、且つ垂直ブランキング期間を含んでいる。垂直ブランキング期間において複合映像信号に重畳されている等価パルス及び垂直同期パルスのパルス幅は水平同期信号と異なるため垂直ブランキング生成部４００の垂直ブランキング信号ＶＢＬＫがＨｉレベルの期間ではロック検出部５００でロック検出を行なわず、垂直ブランキング期間の直前の状態を保持する。垂直ブランキング信号ＶＢＬＫがＨｉレベルからＬｏレベルになるとき、つまり垂直ブランキング期間が終わると、複合映像信号ＳＣの入力状態を確認するため、制御回路６００においてスライスレベル制御信号ＳＬをＨｉレベルからＬｏレベルに切り替る。ここで、複合映像信号ＳＣの信号レベルはｔ２と同様に非常に弱いと、前述のｔ２の期間と同様の動作を行い、同期信号分離回路１００を弱電界信号入力に強い状態にし、次の垂直ブランキング信号が入力されるまでこの状態を保持するように動作する。ここで、垂直ブランキング期間後にスライスレベル制御信号ＳＬがＬｏレベルになると垂直ブランキング期間後の数Ｈ期間（１Ｈは１水平走査期間）において、同期信号ＣＳＹＮＣは同期信号が出力されないが、ロック検出部５００のロック状態か否かの検出感度の設定、例えば同期信号ＣＳＹＮＣが３Ｈ期間において無入力の場合にロック状態で無いと判定するようにロック検出部５００の検出感度を設定すれば、映像が表示されるまでに数Ｈ期間は同期信号ＣＳＹＮＣが入力されるため、映像表示がされる安定した同期信号が得られることとなる。
【００２７】
実施の形態の同期信号分離装置は、ＰＬＬ部のロック状態を検出することにより、複合映像信号の受信状態を判断できるので、ロック状態の検出結果および垂直ブランキング信号に応じて同期信号分離回路のスライスレベルを制御することにより、映像信号の受信状態に影響されることなく、同期特性を損なうことなく安定した同期パルスを生成でき、良好な複合映像信号と同様に同期信号の検出、分離を行うことができる同期信号分離装置を提供できる。
【００２８】
図３および図４を用いて、ＰＬＬ部２００の回路構成および動作を説明する。図３は、本発明の実施の形態の水平同期分離装置を構成するＰＬＬ部２００の回路構成図の一例であり、図４は本発明の実施の形態の水平同期分離装置を構成するＰＬＬ部２００の動作を示すタイミングチャートである。位相比較器２１０は同期信号ＣＳＹＮＣ、垂直ブランキング信号ＶＢＬＫ及び分周器２５０から位相比較信号Ｐ５０が入力され、同期信号ＣＳＹＮＣのＬｏレベル期間に位相比較信号Ｐ５０の立ち上がりエッジを境に位相比較を行い、位相誤差信号ＡＰＣＯＨおよび制御信号ＡＰＣＯＬをチャージポンプ２２０に供給する。チャージポンプ２２０は入力された位相誤差信号ＡＰＣＯＨおよび制御信号ＡＰＣＯＬのパルス幅に応じた出力電流をループフィルタ２３０に供給し、ループフィルタ２３０はチャージポンプ２２０の充電電流および放電電流に応じた電圧を制御電圧Ｖｆとして電圧制御発振器２４０に供給する。電圧制御発振器２４０は、入力された制御電圧Ｖｆに応じたクロックＣＬＫ（図示しない）を分周器２５０に供給し、分周器２５０では位相比較信号Ｐ５０の１周期が１ＨとなるようにクロックＣＬＫを分周し、位相比較器２１０及び水平同期生成部２６０に供給する。水平同期生成部２６０はＨＳＹＮＣ信号を出力する。ＰＬＬ部２００において、同期信号ＣＳＹＮＣと位相比較信号Ｐ５０の周期が等しく、安定した状態をロック状態といい、ロック状態にあるとき、同期信号ＣＳＹＮＣのＬｏレベル期間と位相比較信号Ｐ５０の立ち上がりエッジを境に位相比較を行い、位相誤差信号ＡＰＣＯＨのパルス幅ｔＨと制御信号ＡＰＣＯＬのパルス幅ｔＬはほぼ等しいため、ループフィルタ２３０へ入力される充電電流と放電電流も等しくなり、ループフィルタ２３０から出力される制御電圧Ｖｆは位相比較前と位相比較後で等しくなるので電圧制御発振器２４０が出力するクロックＣＬＫも位相比較前と位相比較後で同じ周期でクロックＣＬＫを出力し、位相比較器に供給する。同期信号ＣＳＹＮＣが弱電界信号等により欠落した場合、位相比較器は同期抜け検出を行い位相誤差信号ＡＰＣＯＨ及び制御信号ＡＰＣＯＬを出力しないように動作を行う。このとき位相誤差信号ＡＰＣＯＨ及び制御信号ＡＰＣＯＬは出力されないので、チャージポンプ２２０から出力される充電電流および放電電流は無いため、ループフィルタ２３０の制御電圧Ｖｆも変化しないため電圧制御発振器２４０の出力であるクロックＣＬＫはほとんど変化しない。また、垂直ブランキング信号ＶＢＬＫがＨｉレベルにおいては（図示しない）、同期抜け検出と同様、同期信号ＣＳＹＮＣと位相比較信号Ｐ５０との位相比較を停止し、位相誤差信号ＡＰＣＯＨおよび制御信号ＡＰＣＯＬを出力しないようにするように構成されている。
【００２９】
図５および図６を用いて、ロック検出部５００の回路構成および動作を説明する。図５は、本発明の実施の形態の水平同期分離装置を構成するロック検出部５００の回路構成図の一例であり、図６は本発明の実施の形態の水平同期分離装置を構成するロック検出部５００の動作を示すタイミングチャートである。ウインド生成部５１０は、同期信号ＣＳＹＮＣ、位相比較信号Ｐ５０が入力され、ウインド信号ＷＩＮは、ＰＬＬ部がロック状態において、周期は同期信号ＣＳＹＮＣと一致し、Ｈｉレベル期間ｔ２は同期信号ＣＳＹＮＣのパルス幅ｔ１より広く、且つ同期信号ＣＳＹＮＣのＬｏレベル期間はウインド信号ＷＩＮのＨｉレベル期間内になるように動作を行う。ＰＬＬ部がロック状態で無い場合には、同期信号ＣＳＹＮＣはウインド信号ＷＩＮのＨｉレベル期間外となる。また、同期抜け検出信号ＥＲＳＴは弱電界信号等により同期信号ＣＳＹＮＣが欠落したことを検出するとＨｉレベルを出力する。論理ゲート５２０は、同期信号ＣＳＹＮＣ、垂直ブランキング信号ＶＢＬＫ、ウインド信号ＷＩＮおよび同期抜け検出信号ＥＲＳＴが入力される。ウインド信号ＷＩＮのＨｉレベル期間に同期信号ＣＳＹＮＣのＬｏレベル期間が存在する場合は、ロック状態とみなし同期信号ＣＳＹＮＣの信号と同一タイミングのロック信号ＳＹＮＣＬが出力され、同期信号ＣＳＹＮＣが欠落した場合には、同期抜け検出信号ＥＲＳＴがＨｉレベルとなりウインド信号をアンロック信号ＳＹＮＣＮとして出力し、チャージポンプ５３０に入力される。チャージポンプ５３０は、ロック信号ＳＹＮＣＬおよびアンロック信号ＳＹＮＣＮが入力され、ロック信号ＳＹＮＣＬがＨｉレベル期間においては充電電流が、アンロック信号ＳＹＮＣＮがＨｉレベル期間においては放電電流がチャージポンプ５３０から出力され、ＤＥＴ回路５４０に供給される。ＤＥＴ回路５４０は、充電電流および放電電流により電圧ＶＤＥＴが変化しこの電圧ＶＤＥＴをコンパレータ５５０に供給する。充電電流が入力されると充電電流の電流値および入力時間に応じ電圧ＶＤＥＴは上昇し、放電電流が入力されると放電電流の電流値および入力時間に応じ電圧ＶＤＥＴは下降する。コンパレータ５５０は入力される電圧ＶＤＥＴの電圧値によりロック検出信号ＬＯＣＫをＬｏレベルまたはＨｉレベルに切替る動作を行う。電圧ＶＤＥＴがコンパレータ５５０によって設定されたＬｏスレッシュ電圧以下になるとロック検出信号ＬＯＣＫはＬｏレベルとなり、電圧ＶＤＥＴが設定されたＨｉスレッシュ電圧以上になるとロック検出信号ＬＯＣＫはＨｉレベルを出力する。ここで、ロック検出信号ＬＯＣＫの切替りはチャージポンプ５３０から出力される充電電流および放電電流の電流値、ＤＥＴ回路５３０に含まれる容量値、またはコンパレータ５５０で設定されるＬｏスレッシュ電圧およびＨｉスレッシュ電圧等によりロック検出信号ＬＯＣＫが切替るタイミングを制御することが出来る。
【００３０】
図７および図８を用いて、制御回路６００の回路構成および動作を説明する。図７は、本発明の実施の形態の水平同期分離装置を構成する制御回路６００の回路構成図の一例であり、図８は本発明の実施の形態の水平同期分離装置を構成する制御回路６００の動作を示すタイミングチャートである。制御回路６００は第１のインバータ６１０、第１のフリップフロップ６２０から構成される。垂直ブランキング信号ＶＢＬＫは第１のインバータ６１０に入力され、第１のインバータ６１０の出力端子は第１のフリップフロップ６２０のクロック入力端子に接続される。ロック検出信号ＬＯＣＫは第１のフリップフロップ６２０のリセット入力端子に接続され、第１のフリップフロップ６２０のＮＱ出力端子はスライスレベル制御信号ＳＬを出力する。ロック検出信号ＬＯＣＫがＨｉレベルのとき第１のフリップフロップ６２０のＮＱ出力端子はＬｏレベルとなっている。ロック検出信号ＬＯＣＫがＬｏレベルになると第１のフリップフロップ６２０はリセットされるので、ＮＱ出力であるスライスレベル制御信号ＳＬはＨｉレベルとなる。次にロック検出信号ＬＯＣＫがＨｉレベルになると第１のフリップフロップ６２０はリセットが解除される。次に垂直ブランキング信号ＶＢＬＫが信号を入力するが、ＨｉレベルからＬｏレベルに切り替わるとき、第１のフリップフロップ６２０のＮＱ出力つまりスライスレベル制御信号ＳＬはＬｏレベルとなる。つまり、スライスレベル制御信号ＳＬのＬｏレベルからＨｉレベルへの切り替わりはロック検出信号ＬＯＣＫにより制御され、スライスレベル制御信号ＳＬのＨｉレベルからＬｏレベルへの切り替わりは垂直ブランキング信号のＨｉからＬｏへの立ち下がりエッジによって制御される。
【産業上の利用可能性】
【００３１】
本発明にかかる同期信号分離装置は、ＰＬＬ部のロック検出により同期状態を同期信号分離回路のスライスレベルを制御することにより安定した同期信号を生成でき同期信号分離装置として有用である。
【図面の簡単な説明】
【００３２】
【図１】本発明の実施の形態の同期信号分離装置の回路構成図
【図２】本発明の実施の形態の同期信号分離装置の動作を示すタイミングチャート
【図３】本発明の実施の形態の同期信号分離装置を構成するＰＬＬ部の一構成例を示す回路構成図
【図４】本発明の実施の形態の同期信号分離装置を構成するＰＬＬ部の動作を示すタイミングチャート
【図５】本発明の実施の形態の同期信号分離装置を構成するロック検出部の一構成例を示す回路構成図
【図６】本発明の実施の形態の同期信号分離装置を構成するロック検出部の動作を示すタイミングチャート
【図７】本発明の実施の形態の同期信号分離装置を構成する制御回路の一構成例を示す回路図
【図８】本発明の実施の形態の同期信号分離装置を構成する制御回路の一構成例を示すタイミングチャート
【図９】従来の同期信号分離装置の回路構成図
【図１０】従来の同期信号分離装置の動作を示すタイミングチャート
【符号の説明】
【００３３】
１００  同期信号分離回路
２００  ＰＬＬ部
２１０  位相比較器
２２０  チャージポンプ
２３０  ループフィルタ
２４０  電圧制御発振器
２５０  分周器
２６０  水平同期生成部
３００  積分器
４００  垂直ブランキング生成部
５００  ロック検出部
５１０  ウインド生成部
５２０  論理ゲート
５３０  チャージポンプ
５４０  ＤＥＴ回路
５５０  コンパレータ
６００  制御回路
【図１】
2008092504.tif 000003
【図２】
2008092504.tif 000004
【図３】
2008092504.tif 000005
【図４】
2008092504.tif 000006
【図５】
2008092504.tif 000007
【図６】
2008092504.tif 000008
【図７】
2008092504.tif 000009
【図８】
2008092504.tif 000010
【図９】
2008092504.tif 000011
【図１０】
2008092504.tif 000012